(57)【要約】【課題】  鏡を置く台が無いときにも片手に化粧鏡を持たずに両手が自由に使え、化粧や化粧品をバッグから出し入れすることが出来る。【解決手段】  一端に鏡を取り付けた伸縮ないしは折りたたみの支持シャフトの他端に首かけ具を取り付けた本考案の首かけ化粧鏡を、かけることにより、鏡を置く台が無くても両手を自由に使って化粧が出来る。【選択図】図１
0003137863.tif 000002
【実用新案登録請求の範囲】
【請求項１】
伸縮する若しくは折りたたみの支持シャフトの一端に、鏡を首ふりおよび固定可能に取り付け、支持シャフトの他端に首かけ具を取り付けた、首かけ化粧鏡。
【請求項２】
折りたたみの伸縮する支持シャフトの一端に、鏡を首ふりおよび固定可能に取り付け、支持シャフトの他端に首かけ具を取り付けた、首かけ化粧鏡。
【考案の詳細な説明】
【考案の詳細な説明】
【技術分野】
【０００１】  本考案は、鏡を置く台がない場所で化粧をするときに両手が使える、首にかけられる携帯用の化粧鏡に関するものである。
【背景技術】
【０００２】  従来、鏡が嵌め込まれたフレームに持ち手が付いた化粧鏡がある。【０００３】  従来、片手に化粧鏡を持って、片手で化粧をしていた。【０００４】  鏡のフレームに回転軸を介して取り付けた鏡のカバーを反転させてスタンドとし、台に置いて使う鏡があった。【０００５】  伸縮シャフトに鏡を取り付けてマンホールから地中の配管の内側を覗く器具があった。
【考案の開示】
【考案が解決しようとする課題】
【０００６】  持ち手部分が固定式の化粧鏡はかさばり、携帯に適さなかった。【０００７】  片手に化粧鏡を持って、片手で化粧品をしたり片手で化粧品をバッグから出し入れすることは不便であった。【０００８】  スタンド式の化粧鏡を置く適当な台がない時は、片手に化粧鏡を持って化粧をしなければならなかった。
【課題を解決するための手段】
【０００９】  伸縮する支持シャフトの一端に、鏡を首ふりおよび固定可能に取り付け、支持シャフトの他端に首かけ具を取り付けた、首かけ化粧鏡。【００１０】  折りたたみの支持シャフトの一端に、鏡を首ふりおよび固定可能に取り付け、支持シャフトの他端に首かけ具を取り付けた、首かけ化粧鏡。
【考案の効果】
【００１１】  この考案によれば、化粧鏡を首からかけられるので、両手が自由に使える。その結果、両手で化粧が可能で、バッグから化粧品の出し入れを両手で行え、便利である。【００１２】  支持シャフトが伸縮ないしは折りたため、顔と化粧鏡の距離を任意に調節出来るので、支持シャフトを縮めて鏡を顔に近づけて細かい部分の化粧をし、支持シャフトを伸ばして鏡を顔から離して広い部分の化粧ができる。【００１３】  支持シャフトは伸縮ないしは折りたたみが出来るために、収納時はコンパクトになり、携帯に適する。【００１４】  支持シャフトと首かけ具の部分を鏡のスタンドに出来るので、台に置く鏡としても使える。【００１５】  通常の壁掛け鏡や三面鏡と、この考案の首かけ化粧鏡と併用すると、顔に近い部分に鏡があるので、細かい部分の化粧の度に壁掛け鏡や三面鏡に身を乗り出して顔を近付けなくてよい。
【考案を実施するための最良の形態】
【００１６】  図１に本考案の実施例１を示す。鏡１をはめ込んだフレーム２に、伸縮シャフト３の一端が、首ふりおよび固定可能に回転部４により取り付けられている。伸縮シャフト３の他端には、首かけ具５が固定角度で止まる回転軸６により取り付けられている。【００１７】  回転部４はフレーム２を伸縮シャフト３に対して任意な角度で固定できるような、固定用ネジ７を持つ。【００１８】  首かけ具５は首にかけたときにずり落ちないように一箇所以上の折れ部を持つ。【００１９】  装着時は伸縮シャフト３を伸ばし、図２に示すように鏡１が化粧に適した位置になるように、伸縮シャフト３と首かけ具５の角度を開いて首にかける。鏡１を化粧に適した方向に向け、回転部４の固定ネジ用７でフレーム２を固定する。【００２０】  収納する時は、図３に示すように、伸縮シャフト３を縮めてフレーム２の側辺に沿わせる。伸縮シャフト３の首かけ具側の端部はフレーム２の角に位置し、首かけ具５をフレーム２の辺に沿わせてコンパクトに収納できる。【００２１】  図４に折りたたみの支持シャフトの一端に、鏡を首ふりおよび固定可能に取り付け、他端に首かけ具を取り付けた首かけ化粧鏡の実施例２を示す。鏡１をはめ込んだフレーム２と、鏡側の折りたたみシャフト８−１と首掛け具側の折りたたみシャフト８−２と首掛け具５で構成され、鏡側の折りたたみシャフト８−１と首賭け具側の折りたたみシャフト８−２がそれぞれの一端で固定角度で止まる回転軸９により接合されている。【００２２】  折りたたみシャフト８−１の一端が、首ふりおよび固定可能に回転部４によりフレーム２に取り付けられている。折りたたみシャフト８−２の一端には、首かけ具５が回転軸６により取り付けられている。【００２３】  回転部４はフレーム２を折りたたみシャフト８−１に対して、任意な角度で固定できる固定用ネジ７を持つ。【００２４】  首かけ具５は首にかけたときにずり落ちないように一箇所以上の折れ部を持つ。【００２５】  装着時は、図５に示すように折りたたみシャフト８−１と８−２を伸ばし、折りたたみシャフトと首かけ具５の角度を開いて首にかける。鏡１を化粧に適した方向に向け、回転部４の固定ネジ用７でフレーム２を固定する。【００２６】  収納する時は、図６に示すように、折りたたみシャフト８−１と折りたたみシャフト８−２を折りたたみ、フレーム２の側辺に沿わせる。折りたたまれたシャフト８−１の首かけ具側の端部はフレーム２の角に位置し、首かけ具５をフレーム２の辺に沿わせてコンパクトに収納できる。【００２７】  折りたたみシャフト８−１と折りたたみシャフト８−２の角度を任意に固定できるように接合部の回転軸９に固定用ネジを設けてもよい。【００２８】  図７に伸縮する折りたたみの支持シャフトの一端に、鏡を首ふりおよび固定可能に取り付け、他端に首かけ具を取り付けた首かけ化粧鏡の実施例３を示す。鏡１をはめ込んだフレーム２と、鏡側の伸縮する折りたたみシャフト１０−１と首掛け具側の伸縮する折りたたみシャフト１０−２と首掛け具５で構成され、鏡側の伸縮する折りたたみシャフト１０−１と首賭け具側の伸縮する折りたたみシャフト１０−２が、それぞれの一端で、固定角度で止まる回転軸９により接合され���いる。【００２９】  伸縮する折りたたみシャフト１０−１の一端が、首ふりおよび固定可能に回転部４によりフレーム２に取り付けられている。伸縮する折りたたみシャフト１０−２の一端には、首かけ具５が回転軸６により取り付けられている。【００３０】  回転部４はフレーム２を伸縮する折りたたみシャフト１０−１に対して、任意な角度で固定できる固定用ネジ７を持つ。【００３１】  首かけ具５は首にかけたときにずり落ちないように一箇所以上の折れ部を持つ。【００３２】  装着時は、図８に示すように伸縮する折りたたみシャフト１０−１と１０−２を伸ばし、伸縮する折りたたみシャフトと首かけ具５の角度を開いて首にかける。鏡１を化粧に適した方向に向け、回転部４の固定ネジ用７でフレーム２を固定する。【００３３】  収納する時は、伸縮する折りたたみシャフト１０−１と伸縮する折りたたみシャフト１０−２を折りたたみ、フレーム２の側辺に沿わせる。折りたたまれたシャフト１０−２の首かけ具側の端部はフレーム２の角に位置し、首かけ部５をフレーム２の辺に沿わせてコンパクトに収納できる。【００３４】  伸縮する折りたたみシャフト１０−１と伸縮する折りたたみシャフト１０−２の角度を任意に固定できるように接合部の回転軸９に固定用ネジを設けてもよい。【００３５】  図９に示すように、本考案の首かけ化粧鏡を、フレーム２に対して、回転部４を中心にシャフトを回転させると、置き形の化粧鏡としても使える。【００３６】  鏡のフレーム２が半円状の場合には図１０に示すように首かけ部５を首の形に合うように半円状にすることが出来る。【００３７】  化粧鏡のフレームを図１１に示すように鏡部分のカバー１０となるように折りたたみ状にしてもよい。【００３８】  折りたたみシャフトを伸縮するシャフトにすると更に鏡の位置の調節範囲が広くなる。
【図面の簡単な説明】
【００３９】
【図１】  実施例１の化粧鏡の図である。
【図２】  実施例１の首かけ化粧鏡を首にかけた図である。
【図３】  実施例１の首かけ化粧鏡の収納状態の図である。
【図４】  実施例２の化粧鏡の図である。
【図５】  実施例２の首かけ化粧鏡を首にかけた図である。
【図６】  実施例２の首かけ化粧鏡の収納状態の図である。
【図７】  実施例３の化粧鏡の図である。
【図８】  実施例３の首かけ化粧鏡を首にかけた図である。
【図９】  本考案を置き形の化粧鏡として使用する図である。
【図１０】  半円形の首賭け部を持つ化粧鏡の図である。
【図１１】  フレームが鏡部分のカバーとなるような化粧鏡の図である。
【符号の説明】
【００４０】  １        鏡
２        フレーム
３        伸縮シャフト
４        回転部
５        首かけ部
６        回転軸
７        固定ネジ
８−１    鏡側の折りたたみシャフト
８−２    首かけ具側の折りたたみシャフト
９        回転軸
１０−１  鏡側の伸縮する折りたたみシャフト
１０−１  首かけ具側の伸縮する折りたたみシャフト
１１      鏡部分のカバー
【図１】
0003137863.tif 000003
【図２】
0003137863.tif 000004
【図３】
0003137863.tif 000005
【図４】
0003137863.tif 000006
【図５】
0003137863.tif 000007
【図６】
0003137863.tif 000008
【図７】
0003137863.tif 000009
【図８】
0003137863.tif 000010
【図９】
0003137863.tif 000011
【図１０】
0003137863.tif 000012
【図１１】
0003137863.tif 000013